(57)【特許請求の範囲】
【請求項１】
配線基板上に実装され、前面部、背面部及び両側面部を有するコネクタと、それぞれ金属薄板によって形成され、前面板と、両側面板と、前記前面板と対向して支持された仕切り板と、上下開放部位を閉塞する天井板及び底板とからなるシールドケースとを備え、
前記シールドケースの前面板と仕切り板との間に、前記コネクタの前記両側面部と前記背面部とを保持して前記コネクタを収納するコネクタ収納凹部が構成されるとともに、
前記仕切り板の前面に前記コネクタ収納凹部内に突出する受け凸部を形成してなり、
前記コネクタの前記背面部が前記受け凸部に当接されて、前記仕切り板と前記装置本体のパネルとの間に保持されることを特徴とする電子チューナ装置。
【請求項２】
前記受け凸部は、前記仕切り板の前面にブリッジ状に一体に形成されてなり、前記コネクタの奥行き寸法に対応して前記コネクタ収納空間部内への突出量が調整されることを特徴とする請求項１に記載の電子チューナ装置。
【発明の詳細な説明】
【０００１】
【発明の属する技術分野】
本発明は、受信機やオーディオ機器等に備えられる電子チューナ装置に関し、さらに詳しくはアンテナ線等が接続されるコネクタの取付構造に関する。
【０００２】
【従来の技術】
電子チューナ装置においては、平行フィーダのアンテナ線を接続するコネクタを備えているが、このコネクタが比較的大型部品であるとともにアンテナ線を接続する際に負荷がかかるためにシールドケースにネジ止めすることができないといった問題があった。電子チューナ装置においては、このためにシールドケースにコネクタ収納空間部を形成してコネクタを組み付けるように構成している。
【０００３】
すなわち、従来の電子チューナ装置５０は、図４乃至図６に示すように、前面板５２と、左右両側面板５３、５４と、図示しない背面板及び天井板と底板或いは仕切り板５５等を組み合わせて構成したシールドケース５１が備えられる。電子チューナ装置５０は、シールドケース５１内に詳細を省略するが電子部品や集積回路素子等を実装した配線基板５６や電子部品等が収納される。
【０００４】
電子チューナ装置５０においては、前面板５２に同軸ケーブルを接続する同軸コネクタ５７が取り付けられるとともに、この前面板５２と仕切り板５５との間にコネクタ収納空間部５９が構成されて平行フィーダ線を接続するコネクタ５８が組み付けられる。コネクタ収納空間部５９は、前面板５２の一部に形成した長さ方向のスリットによって長さ方向に対向する一対の凸片６０、６１を形成し、これら凸片６０、６１を内側へと折曲することにより構成される。
【０００５】
各凸片６０、６１には、それぞれの長さが前面板５２と仕切り板５５との対向間隔とほぼ等しく、図示しないが先端部に係合凸部が形成されている。各凸片６０、６１は、折曲された状態においてそれぞれの先端部が仕切り板５５に突き当てられ、この仕切り板５５に形成された図示しない係合孔に係合凸部が相対係合されてることによって、コネクタ収納空間部５９を構成する。コネクタ収納空間部５９は、仕切り板５５によって背面部を、各凸片６０、６１によって両側面部を、配線基板５６によって底面部を閉塞されてなる。
【０００６】
コネクタ収納空間部５９には、コネクタ５８が組み付けられて収納される。コネクタ５８は、外形寸法、すなわち幅寸法、高さ寸法、奥行き寸法が、それぞれコネクタ収納空間部５９の幅寸法、高さ寸法、奥行き寸法とほぼ等しく、前面部がフィーダ接続部５８ａとして構成されている。フィーダ接続部５８ａは、詳細を省略するが、それぞれ内部にアンテナ端子片が内蔵されてアンテナ線が差し込まれる一対の差込孔６２（６２ａ、６２ｂ）が形成されるとともに、これら差込孔６２に差し込まれたアンテナ線をアンテナ端子片に接続した状態でロックするロックレバー６３（６３ａ、６３ｂ）とが設けられている。
【０００７】
コネクタ５８は、底面部に幅方向に離間して一対の楔状凸部６４（６４ａ、６４ｂ）が突設されており、図６に示すようにこれら凸部６４を配線基板５６の係合孔６５に相対係合することによって配線基板５６上に実装される。コネクタ５８は、配線基板５６上に実装された状態において、その主面に形成した接続端子部に対して図示しない端子部が半田付けされて電気的接続が行われる。コネクタ５８は、この状態において背面部が仕切り板５５の前面に当接するとともに、両側面部が各凸片６０、６１の内面に当接する。コネクタ５８は、フィーダ接続部５８ａが前面板５２と略同一面を構成して外方へと臨ませられる。
【０００８】
電子チューナ装置５０は、シールドケース５１の前面板５２を取付面として、例えば受信機やオーディオ機器等の機器本体側のパネル６６の内面に取り付けられる。パネル６６には、同軸コネクタ５７に対応して円形開口部６７が設けられるとともに、コネクタ５８に対応して矩形開口部６８が設けられている。矩形開口部６８は、コネクタ５８の差込孔６２やロックレバー６３を外方へと臨ませるが、フィーダ接続部５８ａの外形寸法よりもやや小開口寸法に形成されてなる。
【０００９】
電子チューナ装置５０は、円形開口部６７から同軸コネクタ５７の先端部を外方に突出させるとともに矩形開口部６８からコネクタ５８のフィーダ接続部５８ａを外方に臨ませて、パネル６６に取り付けられる。電子チューナ装置５０は、この状態においてコネクタ５８が、前後方向を仕切り板５５とパネル６６とで保持されるとともに、左右方向を凸片６０、６１とで保持され、かつ上下方向を配線基板５６と天井板とで保持される。
【００１０】
【発明が解決しようとする課題】
従来の電子チューナ装置５０においては、上述したように前面板５２と仕切り板５５とによって構成したコネクタ収納空間部５９にコネクタ５８が組み付けられている。電子チューナ装置５０においては、コネクタ５８が、背面部を仕切り板５５に当接されることで内方への傾きが防止されるとともに、アンテナ線の接続操作に際してグラツキを抑制するようにしていた。
【００１１】
電子チューナ装置５０においては、仕切り板５５がコネクタ５８の背面部の全体に当接することで、仕切り板５５の面精度及び位置精度が要求される。コネクタ５８は、仕切り板５５とパネル６６とで挟まれることによって、これら仕切り板５５とパネル６６とから圧縮力が作用されている。
【００１２】
電子チューナ装置５０においては、シールドケース５１が金属薄板からなる各板を組み合わせてを構成することから、仕切り板５５を高精度に位置決めすることが困難である。電子チューナ装置５０においては、仕切り板５５の位置やこの仕切り板５５とパネル６６とが高面精度に保持されていない場合に、より大きなストレスがコネクタ５８に作用される。電子チューナ装置５０においては、コネクタ５８を介してこのストレスが配線基板５６に作用され、楔状凸部６４や係合孔６５に損傷が生じたりパターンが剥離する場合がある。
【００１３】
また、電子チューナ装置５０においては、コネクタ５８の外形仕様によって凸片６０、６１の長さと仕切り板５５の組立位置とが決定される。電子チューナ装置５０においては、このために外形仕様を異にするコネクタ５８に対してシールドケース５１の互換性が無く、配線基板５６とともに新規に製作しなければならないといった問題があった。
【００１４】
したがって、本発明は、シールドケースの高精度の製作かつ組立を不要とし、コネクタへの大きなストレスの作用を抑制するとともに確実な保持が行われ、外形仕様を異にするコネクタへの互換性を図った電子チューナ装置を提供することを目的としたものである。
【００１５】
【課題を解決するための手段】
この目的を達成する本発明にかかる電子チューナ装置は、配線基板上に実装され、前面部、背面部及び両側面部を有するコネクタと、シールドケースとを備えて構成される。シールドケースは、それぞれ金属薄板によって形成された、前面板と、両側面板と、前面板と対向して支持された仕切り板と、上下開放部位を閉塞する天井板及び底板とからなる。電子チューナ装置は、シールドケースの前面板と仕切り板との間に、両側面部と背面部とを保持してコネクタを収納するコネクタ収納凹部が構成されるとともに、仕切り板の前面にコネクタ収納凹部内に突出する受け凸部を形成してなる。
【００１６】
また、電子チューナ装置は、受け凸部が、仕切り板の前面にブリッジ状に一体に形成されてなり、コネクタの奥行き寸法に対応してコネクタ収納空間部内への突出量が調整される。
【００１７】
以上のように構成された本発明にかかる電子チューナ装置によれば、シールドケースのコネクタ収納空間部内にコネクタが組み付けられ、このコネクタの背面部の一部に受け凸部が当接して保持する。電子チューナ装置によれば、仕切り板の位置精度やこの仕切り板と装置本体のパネルの面精度のバラツキに対してコネクタ収納空間部内におけるコネクタの自由度が大きくなって過大なストレスの負荷が低減され、各部の損傷や配線基板のパターン剥がれ等の発生が低減される。
また、電子チューナ装置によれば、コネクタ収納空間部内への受け凸部の突出量を調整することにより、シールドケースを新規に製作することなく外形仕様を異にするコネクタへの互換性が図られる。
【００１８】
【発明の実施の形態】
以下、本発明の実施の形態について、図面を参照して詳細に説明する。実施の形態として示す電子チューナ装置１は、上述した従来の電子チューナ装置５０と基本的な構成をほぼ同様とし、図１乃至図３に示すように、前面板３と、この前面板３の両端を支持する左右の両側面板４、５と、図示しない背面板とによって枠体を構成し、この枠体に天井板６と底板７とを組み合わせて外部と電磁的に遮蔽されたシールドケース２を構成してなる。なお、シールドケース２は、上述した各構成部材がそれぞれ独立部材として形成されるばかりでなく、例えば左右の側面板１２と底板１５とを一体に形成した略コ字状の部材或いはこれらと背面板とを一体に形成した部材を用いてもよいことは勿論である。
【００１９】
シールドケース２は、上述した各板が金属薄板により形成される。前面板３と両側面板４、５及び背面板には、詳細を省略するが相手方と突き合わされるそれぞれの端部に係合凸部や係合孔が適宜形成されており、相対するこれら係合凸部と係合孔とを係合することによって全体枠状に組み合わされる。両側面板４、５には、図１に側面板４側のみが示されるが、外側面に上下縁から所定の高さ位置に長さ方向に対して互いに平行な上側係合リブ４ａと下側係合リブ４ｂとが形成されている。両側面板４、５は、これら上側係合リブ４ａと下側係合リブ４ｂとが厚み方向の機械的強度の向上が図られるとともに、天井板６と底板７との結合部を構成する。
【００２０】
天井板６は、上述した枠体の天井部位を閉塞するに足る外形を有する全体板状を呈し、両側縁に側面部６ａ、６ｂが折曲形成されている。天井板６には、側面部６ａ、６ｂに、下端から形成した多数のスリットによって多数個の短冊状の係合片６ｃが形成されている。各係合片６ｃは、内側に凸となるように円弧状に湾曲されている。天井板６は、各係合片６ｃが両側面板４、５の上側係合リブ４ａと係合することによって上述した枠体の天井部に組み合わされる。
【００２１】
底板７も、上述した枠体の底面部位を閉塞するに足る外形を有する全体板状を呈し、両側縁に側面部７ａ、７ｂが折曲形成されている。底板７には、側面部７ａ、７ｂに、下端から形成した多数のスリットによって多数個の短冊状の係合片７ｃが形成されている。各係合片７ｃも、内側に凸となるように円弧状に湾曲されている。底板７は、各係合片７ｃが両側面板４、５の下側係合リブ４ｂと係合することによって上述した枠体の底面部位に組み合わされる。
【００２２】
シールドケース２は、内部に前面板３と所定の対向間隔を保持されかつ両側面板４、５に両端を支持して仕切り板８が設けられることにより、内部空間が仕切られてなる。仕切り板８は、両側面板４、５間の対向間隔を保持しかつ内部空間のシールド作用を奏するとともに、後述するようにコネクタ１１の保持作用を奏する。
【００２３】
シールドケース２には、内部空間内に詳細を省略するが電子部品や集積回路素子等を実装した配線基板９や各種の電子部品等が組み込まれる。配線基板９は、詳細を省略するが外周部に係合凸部や係合孔が適宜形成されており、前面板３や両側面板４、５或いは背面板や仕切り板８に形成した係合孔や係合凸部に相対係合されることによって、シールドケース２内に組み込まれる。配線基板９は、後述するようにその前端部位の一部がコネクタ収納空間部１２の底面部を構成し、一対の係合孔１９が形成されている。
【００２４】
シールドケース２には、前面板３に同軸ケーブルを接続する同軸コネクタ１０が前方へと突出して取り付けられる。シールドケース２には、前面板３と仕切り板８との間にコネクタ収納空間部１２が構成されて平行フィーダ線を接続するコネクタ１１が組み付けられる。前面板３には、長さ方向のスリットと、このスリットの中央位置から上端縁に達するスリットとによって長さ方向に対向する一対の凸片１３、１４が形成される。各凸片１３、１４は、前面板３と仕切り板８との対向間隔とほぼ等しい長さを有している。各凸片１３、１４は、コネクタ１１の高さとほぼ等しい高さを有している。各凸片１３、１４には、図示しないが先端部に係合凸部が形成されている。
【００２５】
シールドケース２は、これら凸片１３、１４をそれぞれ内側へと折曲して先端部を仕切り板８に突き当てるとともに、係合凸部を仕切り板８側に形成した図示しない係合溝に相対係合することにより、前面板３に開口するコネクタ収納空間部１２を構成する。コネクタ収納空間部１２は、仕切り板８によって背面部を、各凸片１３、１４によって両側面部を、天井板６によって天井部を、さらに配線基板９によって底面部を閉塞されてなる。
【００２６】
シールドケース２には、コネクタ収納空間部１２に対応して、仕切り板８に受け凸部１５が形成されている。仕切り板８には、上端から所定の高さ位置にコネクタ収納空間部１２の幅よりも短い長さ方向のスリット８ａが形成され、このスリット８ａによって構成されたブリッジ状部位を前方側へと突出するように凸字状に押出形成することにより受け凸部１５が形成されてなる。
【００２７】
コネクタ収納空間部１２には、コネクタ１１が組み付けられて収納される。コネクタ１１は、幅寸法と高さ寸法とがそれぞれコネクタ収納空間部１２の幅寸法と高さ寸法とにほぼ等しくしてモールド成形されてなる。コネクタ１１は、奥行き寸法がコネクタ収納空間部１２の奥行き寸法よりもやや小さくして形成されてなる。コネクタ１１は、前面部がフィーダ接続部１１ａとして構成されている。
コネクタ１１には、詳細を省略するが、それぞれ内部にアンテナ端子片が内蔵されてアンテナ線が差し込まれる一対の差込孔１６（１６ａ、１６ｂ）がフィーダ接続部１１ａに開口して形成されている。コネクタ１１には、各差込孔１６に差し込んだアンテナ線をアンテナ端子片に接続した状態でロックするロックレバー１７（１７ａ、１７ｂ）が設けられている。コネクタ１１には、底面部に幅方向に離間して一対の楔状凸部１８（１８ａ、１８ｂ）が突設されている。
【００２８】
以上のように構成されたコネクタ１１は、コネクタ収納空間部１２内に収納され、図３に示すように楔状凸部１８が配線基板９に形成した係合孔１９に相対係合されることによって、配線基板９上に実装される。コネクタ１１は、配線基板９上に実装された状態において、その主面に形成した接続端子部に対して図示しない端子部が半田付けされて電気的接続が行われる。
【００２９】
コネクタ１１は、コネクタ収納空間部１２内に収納された状態において、背面部１１ｂが仕切り板８の受け凸部１５に当接するとともに、両側面部１１ｃ、１１ｄが各凸片１３、１４の内面に当接する。コネクタ１１は、フィーダ接続部１１ａが前面板３の前面３ａと略同一面を構成して外方へと臨ませられる。コネクタ１１は、受け凸部１５が上述したように形成されることによって、背面部１１ｂの全面に当接すること無くその一部で当接する。
【００３０】
電子チューナ装置１は、シールドケース２の前面板３の前面３ａを取付面として、例えば受信機やオーディオ機器等の機器本体側のパネル２０の内面に取付ネジ等によって取り付けられる。パネル２０には、同軸コネクタ１０に対応して円形の開口部２１が設けられるとともに、コネクタ１１に対応して横長矩形の開口部２２が設けられている。矩形開口部２２は、コネクタ１１の差込孔１６やロックレバー１７を外方へと臨ませるが、フィーダ接続部１１ａの外形寸法よりもやや小開口寸法に形成されてなる。
【００３１】
電子チューナ装置１は、円形開口部２１を介して同軸コネクタ１０の先端部をパネル２０から外方へと突出させるとともに矩形開口部２２からコネクタ１１のフィーダ接続部１１ａを外方に臨ませて、パネル２０に取り付けられる。電子チューナ装置１は、同軸コネクタ１０に高周波入力用の同軸ケーブルが接続されるとともに、コネクタ１１に入出力用の平行フィーダ線がそれぞれ差し込まれる。
【００３２】
電子チューナ装置１においては、コネクタ１１がコネクタ収納空間部１２内に収納された状態において、フィーダ接続部１１ａをシールドケース２の前面板３に当接されるとともに背面部１１ｂが仕切り板８の受け凸部１５に当接されて保持される。電子チューナ装置１においては、コネクタ１１が、背面部１１ｂを仕切り板８によってその全面を保持されることなく、当接面積の小さい受け凸部１５によって保持するように構成される。
【００３３】
電子チューナ装置１においては、仕切り板８と前面板２０及びパネル２０の面精度及び相互の位置精度により、これら仕切り板８とパネル２０とによってコネクタ１１を強く挟み込むことがある。電子チューナ装置１においては、コネクタ１１の背面部１１ｂに対して当接面積が小さな受け凸部１５が当接した構造であることから、仕切り板８が全面に当接する場合と比較してコネクタ１１に対して傾いたり前後方向に微小に移動し得るような自由度を付与する。
【００３４】
したがって、電子チューナ装置１においては、シールドケース２の各部材やパネル２０を高精度に形成するとともに高精度に組立することを要せず、仕切り板８と前面板２０とから比較的大きな圧接力が作用された場合でもコネクタ１１に対するストレスの低減が図られるようにする。電子チューナ装置１においては、かかる構成によって、コネクタ１１のストレスが各部に作用されて楔状凸部１８や係合孔１９に損傷が生じたり配線基板９に形成されたパターンの剥離といった問題の発生が低減される。
【００３５】
電子チューナ装置１においては、フィーダ接続部１１ａに平行フィーダ線を接続する際にコネクタ１１に対して負荷がかかるが、この負荷がコネクタ１１を介して配線基板９との接続部やシールドケース２全体に作用されることが抑制される。すなわち、電子チューナ装置１においては、コネクタ１１に作用された負荷が受け凸部１５において吸収される。
【００３６】
一方、電子チューナ装置１においては、本体装置の仕様によって各種のコネクタ１１が用いられることがある。電子チューナ装置１においては、仕切り板８に形成する受け凸部１５の突出量ｈ（図２参照）を調整することによって、シールドケース２の全体構成を変更することなくその対応が可能となる。
【００３７】
なお、仕切り板８に形成する受け凸部１５については、上述した長さ方向の凸部の形状に限定されるものではなく、例えば高さ方向の凸部によって構成してもよい。また、受け凸部１５は、受け面にさらに複数の凸部を形成してコネクタ１１の背面部１１ｂを保持するようにしてもよい。
【００３８】
【発明の効果】
以上詳細に説明したように、本発明にかかる電子チューナ装置によれば、コネクタ収納部を構成する仕切り板の受け面にブリッジ状の受け凸部を一体に形成してコネクタの背面部を当接面積を小さくして保持するように構成したことによって、コネクタに対するストレスが低減される。したがって、電子チューナ装置によれば、シールドケースの構成部材や装置本体のパネルの部品精度や組立精度を緩やかにしてコスト低減が図られるとともに、各部の破損等の発生を防止する。
また、電子チューナ装置によれば、コネクタの外形仕様等を異にする場合にもコネクタ収納部に対する受け凸部の突出量を調整することで、その対応が可能とされる。
【図面の簡単な説明】
【図１】本発明の実施の形態として示す電子チューナ装置の要部分解斜視図である。
【図２】同電子チューナ装置の要部平面図である。
【図３】同電子チューナ装置の要部縦断面図である。
【図４】従来の電子チューナ装置の要部分解斜視図である。
【図５】同電子チューナ装置の要部平面図である。
【図６】同電子チューナ装置の要部縦断面図である。
【符号の説明】
１      電子チューナ装置
２      シールドケース
３      前面板
４      側面板
５      側面板
６      天井板
７      底板
８      仕切り板
９      配線基板
１０    同軸コネクタ
１１    コネクタ
１１ａ  フィーダ接続部
１２    コネクタ収納凹部
１３    凸片
１４    凸片
１５    受け凸部
２０    パネル
【図１】
0004547593.tif 000002
【図２】
0004547593.tif 000003
【図３】
0004547593.tif 000004
【図４】
0004547593.tif 000005
【図５】
0004547593.tif 000006
【図６】
0004547593.tif 000007